(57)【要約】【課題】  複数の撮影画像を時間的・空間的に違和感のないスライドショー表示を実現すること。【解決手段】  撮影日時情報が付加された複数の撮影画像を記憶する記憶部１１と、撮影画像を表示する表示部１４と、記憶部１１に記憶されている複数の撮影画像から表示部１４に表示する複数の再生対象画像を選択する入力部１３と、撮影日時順に並べ替えられた複数の再生対象画像に対し、撮影日時が隣接する再生対象画像相互間の時間間隔を取得し、複数の再生対象画像を表示部１４に順次表示させる場合は、当該時間間隔に基づいて再生対象画像の再生時間を制御するＣＰＵ１０と、を備える画像処理装置。【選択図】図１
2006261933.tif 000002
【特許請求の範囲】
【請求項１】
撮影日時情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の時間経過状況を示す時間経過状況情報を取得する取得手段と、
前記複数の再生対象画像を前記表示手段に順次表示させる場合は、前記取得した時間経過状況情報に基づいて再生対象画像の再生時間を制御する制御手段と、
を備えることを特徴とする画像処理装置。
【請求項２】
前記時間経過状況情報は、前記撮影日時が隣接する再生対象画像の撮影日時情報に基づく時間間隔又は撮影日付の変化の有無であること、
を特徴とする請求項１に記載の画像処理装置。
【請求項３】
前記時間経過状況情報の取得は、
前記各再生対象画像が前記表示手段に表示される度に取得されること、
を特徴とする請求項１又は２に記載の画像処理装置。
【請求項４】
前記時間経過状況情報の取得は、
前記撮影日時順に並べ替えられた複数の再生対象画像が前記表示手段に順次表示される前に、予め前記複数の再生対象画像全てに対する時間経過状況情報が取得されること、
を特徴とする請求項１又は２に記載の画像処理装置。
【請求項５】
前記制御手段は、
前記取得された時間経過状況情報に基づいて、予め設定されている複数の設定再生時間のうちいずれか１つを選択し、選択した設定再生時間で前記再生対象画像を表示させること、
を特徴とする請求項１から４のいずれか一項に記載の画像処理装置。
【請求項６】
前記制御手段は、
撮影日時情報に基づく時間間隔又は撮影日付の変化が大きい程、再生時間が長い設定再生時間を選択すること、
を特徴とする請求項５に記載の画像処理装置。
【請求項７】
前記制御手段は、
前記表示される再生対象画像毎に、前記取得された時間経過状況情報に基づいて、予め設定されている基準再生時間を変更して前記再生時間を制御すること、
を特徴とする請求項１から４のいずれか一項に記載の画像処理装置。
【請求項８】
前記制御手段は、
前記取得された時間経過状況情報と予め設定されている比較時間情報とを比較し、前記時間経過状況情報が当該比較時間情報以上であるか否かを判別し、当該判別結果に基づいて前記基準再生時間を変更すること、
を特徴とする請求項７に記載の画像処理装置。
【請求項９】
撮影日時情報を含む付加情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の付加情報を比較する比較手段と、
前記複数の再生対象画像を前記表示手段に順次表示させる場合は、前記付加情報の比較結果に基づいて再生対象画像の再生時間を制御する制御手段と、
を備える画像処理装置。
【請求項１０】
前記付加情報は、前記撮影画像が撮影された位置を示す撮影位置情報を含み、
前記比較手段は、
前記撮影日時が隣接する再生対象画像相互間の撮影位置情報を比較し、
前記制御手段は、当該比較結果に基づいて前記再生時間を制御すること、
を特徴とする請求項９に記載の画像処理装置。
【請求項１１】
前記比較手段は、前記撮影日時が隣接する再生対象画像相互間の撮影位置の距離を算出し、算出された撮影位置の距離が予め設定されている基準距離以上であるか否かを判別し、
前記制御手段は、前記撮影位置の距離が前記基準距離以上であると判別された場合、前記再生時間を次順位の再生対象画像の再生時間よりも長くなるように制御すること、
を特徴とする請求項１０に記載の画像処理装置。
【請求項１２】
前記付加情報は、前記撮影画像が撮影された際にユーザが撮像装置に対して指定した撮影制御情報を含み、
前記比較手段は、
前記撮影日時が隣接する再生対象画像相互間の撮影制御情報を比較し、
前記制御手段は、当該比較結果に基づいて前記再生時間を制御すること、
を特徴とする請求項９に記載の画像処理装置。
【請求項１３】
前記付加情報は、前記撮影画像を撮影した撮像装置を判別する機種情報を含み、
前記比較手段は、
前記撮影日時が隣接する再生対象画像相互間の機種情報を比較し、
前記制御手段は、当該比較結果に基づいて前記再生時間を制御すること、
を特徴とする請求項９又は１２に記載の画像処理装置。
【請求項１４】
前記付加情報は、複数の情報を有し、
前記比較手段は、
前記撮影日時が隣接する再生対象画像相互間において、前記付加情報に含まれる複数の情報毎に比較を行い、
前記制御手段は、当該複数の比較結果に基づいて前記再生時間を制御すること、
を特徴とする請求項９から１３のいずれか一項に記載の画像処理装置。
【請求項１５】
コンピュータを、
撮影日時情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の時間経過状況を示す時間経過状況情報を取得する取得手段と、
前記複数の再生対象画像を前記表示手段に順次表示させる場合は、前記取得した時間経過状況情報に基づいて再生対象画像の再生時間を制御する制御手段と、
して機能させることを特徴とするプログラム。
【請求項１６】
コンピュータを、
撮影日時情報を含む付加情報が付加された複数の撮影画像を記憶する記憶手段と、
前記撮影画像を表示する表示手段と、
前記記憶手段に記憶されている前記複数の撮影画像から前記表示手段に表示する複数の再生対象画像を選択する選択操作手段と、
撮影日時順に並べ替えられた前記複数の再生対象画像に対し、撮影日時が隣接する再生対象画像相互間の付加情報を比較する比較手段と、
前記複数の再生対象画像を前記表示手段に順次表示させる場合は、前記付加情報の比較結果に基づいて再生対象画像の再生時間を制御する制御手段と、
として機能させることを特徴とするプログラム。
【発明の詳細な説明】
【技術分野】
【０００１】
本発明は、複数の撮影画像を表示画面上に順次表示する画像処理装置及びプログラムに関する。
【背景技術】
【０００２】
撮影時に設定された撮影情報が付加された複数の撮影画像を記憶し、当該撮影画像をＬＣＤ（Liquid Crystal Display）等の表示部に表示することができる画像処理装置がある。例えば、ＧＰＳ衛星からの電波を受信し、自己の現在地の位置情報を取得し、取得した位置情報に基づいて位置関連情報を取得し、取得した位置関連情報と撮影した画像情報とを関連付けて記憶する技術が開示されている（特許文献１又は２参照）。
【０００３】
また、このような画像処理装置は、記憶されている複数の撮影画像を連続的に切り替えてスライドショー表示する機能を有している。例えば、フィルムの各駒毎に記憶されている特定情報（タイトル情報、位置情報、地名情報）を読み取り、読み取った特定情報を分別し、分別内容に基づいて表示順序を決定する画像再生装置が開示されている（特許文献３参照）。
【０００４】
しかし、スライドショー表示される撮影画像は、表示される画像は、無地の背景に一人の人が表示されている画像であったり、屋外で多数の人が表示されている画像であったりするため、画像毎にユーザが画像内容を認識する時間が異なる場合がある。そこで、表示する画像の複雑度を評価し、評価結果に従って、複雑度の高い画像ほど表示する時間を長くして、視聴者が画像を認識し易くする画像表示システムが開示されている（特許文献４参照）。
【特許文献１】特開平９−１３５４１６号公報
【特許文献２】特開平１１−７２３４８号公報
【特許文献３】特開平１１−３４４７７１号公報
【特許文献４】特開２００４−７８９２７号公報
【発明の開示】
【発明が解決しようとする課題】
【０００５】
しかしながら、従来のスライドショー表示は、表示される複数の撮影画像の撮影日時や撮影場所（時間的・空間的な間隔）が非常に近接しており撮影内容が類似している撮影画像である場合や、撮影日時や撮影場所に大きな隔たりがあり撮影内容が異なる撮影画像がある場合であっても、予め設定された表示時間で順次画像が表示されている。
【０００６】
スライドショー表示される撮影画像を鑑賞するユーザにとっては、撮影日時や撮影場所が大きく異なる撮影画像を、撮影日時や撮影場所が類似している撮影画像と同一の表示時間で鑑賞することは、違和感があるものである。屋内撮影の場合と屋外撮影の場合のように撮影時の環境が異なる場合も同様である。更に、複数の撮像装置によって撮影された複数の撮影画像がスライドショー表示される場合も、撮像装置の性能が異なるため、同一の表示時間で表示されることには、違和感があるものである。
【０００７】
従って、本発明の課題は、複数の撮影画像を時間的・空間的に違和感のないスライドショー表示を実現することである。
【課題を解決するための手段】
【０００８】
請求項１に記載の発明は、撮影日時情報が付加された複数の撮影画像を記憶する記憶手段と、前記撮影画像を表示する表示手段と、前記記憶手段に記憶されている前記複数の撮影画像から前記表示手段に表示する複数の再生対象画像を選択する選択操作手段と、撮影日時順に並べ替えられた前記複数の再生対象画像に対し、撮影日時が隣接する再生対象画像相互間の時間経過状況を示す時間経過状況情報を取得する取得手段と、前記複数の再生対象画像を前記表示手段に順次表示させる場合は、前記取得した時間経過状況情報に基づいて再生対象画像の再生時間を制御する制御手段と、を備える画像処理装置であること、を特徴としている。
更に、コンピュータに対して、上述した請求項１に記載の発明に示した主要手段を機能せるためのプログラムを提供する（請求項１５に記載の発明）。
【０００９】
請求項２に記載の発明は、請求項１に記載の画像処理装置において、前記時間経過状況情報は、前記撮影日時が隣接する再生対象画像の撮影日時情報に基づく時間間隔又は撮影日付の変化の有無であること、を特徴としている。
【００１０】
請求項３に記載の発明は、請求項１又は２に記載の画像処理装置において、前記時間経過状況情報の取得は、前記各再生対象画像が前記表示手段に表示される度に取得されること、を特徴としている。
【００１１】
請求項４に記載の発明は、請求項１又は２に記載の画像処理装置において、前記時間経過状況情報の取得は、前記撮影日時順に並べ替えられた複数の再生対象画像が前記表示手段に順次表示される前に、予め前記複数の再生対象画像全てに対する時間経過状況情報が取得されること、を特徴としている。
【００１２】
請求項５に記載の発明は、請求項１から４のいずれか一項に記載の画像処理装置において、前記制御手段は、前記取得された時間経過状況情報に基づいて、予め設定されている複数の設定再生時間のうちいずれか１つを選択し、選択した設定再生時間で前記再生対象画像を表示させること、を特徴としている。
【００１３】
請求項６に記載の発明は、請求項５に記載の画像処理装置において、前記制御手段は、撮影日時情報に基づく時間間隔又は撮影日付の変化が大きい程、再生時間が長い設定再生時間を選択すること、を特徴としている。
【００１４】
請求項７に記載の発明は、請求項１から４のいずれか一項に記載の画像処理装置において、前記制御手段は、前記表示される再生対象画像毎に、前記取得された時間経過状況情報に基づいて、予め設定されている基準再生時間を変更して前記再生時間を制御すること、を特徴としている。
【００１５】
請求項８に記載の発明は、請求項７に記載の画像処理装置において、前記制御手段は、前記取得された時間経過状況情報と予め設定されている比較時間情報とを比較し、前記時間経過状況情報が当該比較時間情報以上であるか否かを判別し、当該判別結果に基づいて前記基準再生時間を変更すること、を特徴としている。
【００１６】
請求項９に記載の発明は、撮影日時情報を含む付加情報が付加された複数の撮影画像を記憶する記憶手段と、前記撮影画像を表示する表示手段と、前記記憶手段に記憶されている前記複数の撮影画像から前記表示手段に表示する複数の再生対象画像を選択する選択操作手段と、撮影日時順に並べ替えられた前記複数の再生対象画像に対し、撮影日時が隣接する再生対象画像相互間の付加情報を比較する比較手段と、前記複数の再生対象画像を前記表示手段に順次表示させる場合は、前記付加情報の比較結果に基づいて再生対象画像の再生時間を制御する制御手段と、を備える画像処理装置であること、を特徴としている。
更に、コンピュータに対して、上述した請求項１に記載の発明に示した主要手段を機能させるためのプログラムを提供する（請求項１６に記載の発明）。
【００１７】
請求項１０に記載の発明は、請求項９に記載の画像処理装置において、前記付加情報は、前記撮影画像が撮影された位置を示す撮影位置情報を含み、前記比較手段は、前記撮影日時が隣接する再生対象画像相互間の撮影位置情報を比較し、前記制御手段は、当該比較結果に基づいて前記再生時間を制御すること、を特徴としている。
【００１８】
請求項１１に記載の発明は、請求項１０に記載の画像処理装置において、前記比較手段は、前記撮影日時が隣接する再生対象画像相互間の撮影位置の距離を算出し、算出された撮影位置の距離が予め設定されている基準距離以上であるか否かを判別し、前記制御手段は、前記撮影位置の距離が前記基準距離以上であると判別された場合、前記再生時間を次順位の再生対象画像の再生時間よりも長くなるように制御すること、を特徴としている。
【００１９】
請求項１２に記載の発明は、請求項９に記載の画像処理装置において、前記付加情報は、前記撮影画像が撮影された際にユーザが撮像装置に対して指定した撮影制御情報を含み、前記比較手段は、前記撮影日時が隣接する再生対象画像相互間の撮影制御情報を比較し、前記制御手段は、当該比較結果に基づいて前記再生時間を制御すること、を特徴としている。
【００２０】
請求項１３に記載の発明は、請求項９又は１２に記載の画像処理装置において、前記付加情報は、前記撮影画像を撮影した撮像装置を判別する機種情報を含み、前記比較手段は、前記撮影日時が隣接する再生対象画像相互間の機種情報を比較し、前記制御手段は、当該比較結果に基づいて前記再生時間を制御すること、を特徴としている。
【００２１】
請求項１４に記載の発明は、請求項９から１３のいずれか一項に記載の画像処理装置において、前記付加情報は、複数の情報を有し、前記比較手段は、前記撮影日時が隣接する再生対象画像相互間において、前記付加情報に含まれる複数の情報毎に比較を行い、前記制御手段は、当該複数の比較結果に基づいて前記再生時間を制御すること、を特徴としている。
【発明の効果】
【００２２】
請求項１、１５に記載の発明によれば、撮影日時順に並べ替えられた複数の再生対象画像が順次表示される場合、撮影日時が隣接する再生対象画像相互間の時間経過状況情報に基づいて、表示される再生対象画像の再生時間を制御することができるため、ユーザに対して複数の撮影画像を時間的に違和感なく再生対象画像を順次表示させることができる。
【００２３】
請求項２に記載の発明によれば、請求項１と同様の効果を得られるのは勿論のこと、時間経過状況情報が隣接する再生対象画像の撮影日時情報に基づく時間間隔又は撮影日付の変化の有無であることにより、隣接する再生対象画像相互間の時間的な差に基づいて再生対象画像が順次表示される際の再生時間を制御でき、順次表示される再生対象画像相互間の時間的な違和感を低減することができる。
【００２４】
請求項３に記載の発明によれば、請求項１又は２と同様の効果を得られるのは勿論のこと、時間経過状況情報の取得は、再生対象画像が表示手段に表示される度に取得されるため、事前に時間経過状況の取得という準備動作なく、ユーザに対して待ち時間なく直ちに再生対象画像を順次表示させることができる。
【００２５】
請求項４に記載の発明によれば、請求項１又は２と同様の効果を得られるのは勿論のこと、撮影日時順に並べ替えられた複数の再生対象画像が順次表示される前に、予め複数の再生対象画像全てに対する時間経過状況情報が取得されるため、再生対象画像を順次表示させる際の制御負荷を低減させることができる。
【００２６】
請求項５に記載の発明によれば、請求項１から４のいずれか一項と同様の効果を得られるのは勿論のこと、取得された時間経過状況情報に基づいて複数の設定再生時間から設定再生時間が選択された設定再生時間に応じた再生時間で再生対象画像が表示されることにより、再生対象画像を順次表示させる際の制御負荷を低減させることができる。
【００２７】
請求項６に記載の発明によれば、請求項５と同様の効果を得られるのは勿論のこと、時間経過状況基づいて選択される設定再生時間は、隣接する再生対象画像間の撮影日時情報に基づく時間間隔又は撮影日付の変化が大きいほど再生時間が長い設定再生時間が選択されるため、順次表示される再生対象画像間の時間的な違和感を低減することができる。
【００２８】
請求項７に記載の発明によれば、請求項１から４のいずれか一項と同様の効果を得られるのは勿論のこと、時間経過状況情報に基づいて予め設定されている基準再生時間が変更されて再生時間を制御することができ、再生対象画像を順次表示させる際の制御負荷を低減させることができる。
【００２９】
請求項８に記載の発明によれば、請求項７と同様の効果を得られるのは勿論のこと、時間経過状況情報と予め設定されている比較時間情報との比較結果に基づいて基準再生時間が変更されることにより再生時間を制御することができ、再生対象画像を順次表示させる際の制御負荷を低減させることができる。
【００３０】
請求項９、１６に記載の発明によれば、撮影日時順に並べ替えられた複数の再生対象画像が順次表示される場合、撮影日時が隣接する再生対象画像相互間の付加情報の比較結果に基づいて、表示される再生対象画像の再生時間を制御することができるため、ユーザに対して違和感のない再生対象画像を順次表示させることができる。
【００３１】
請求項１０に記載の発明によれば、請求項９と同様の効果を得られるのは勿論のこと、付加情報が撮影位置情報を含み、隣接する再生対象画像相互間の撮影位置情報の比較結果に基づいて再生時間を制御することができ、空間的に違和感のなく再生対象画像を順次表示させることができる。
【００３２】
請求項１１に記載の発明によれば、請求項１０と同様の効果を得られるのは勿論のこと、隣接する再生対象画像相互間の撮影位置の距離が予め設定されている基準距離以上である場合、再生時間が次順位の再生対象画像の再生時間よりも長くなるように再生時間を制御することができ、順次表示される再生対象画像間が空間的な違和感なく再生対象画像を順次表示させることができる。
【００３３】
請求項１２に記載の発明によれば、請求項９と同様の効果を得られるのは勿論のこと、付加情報が撮影制御情報を含み、隣接する再生対象画像相互間の撮影制御情報の比較結果に基づいて再生時間を制御することができ、順次表示される再生対象画像の撮像装置に対して指定された情報の差異によって異なる空間的な違和感を低減することができる。
【００３４】
請求項１３に記載の発明によれば、請求項９又は１２と同様の効果を得られるのは勿論のこと、付加情報が機種情報を含み、隣接する再生対象画像相互間の機種情報の比較結果に基づいて再生時間を制御することができ、順次表示される再生対象画像の撮像装置毎に異なる性能の差異によって異なる空間的な違和感を低減することができる。
【００３５】
請求項１４に記載の発明によれば、請求項９から１３のいずれか一項と同様の効果を得られるのは勿論のこと、隣接する再生対象画像相互間において、付加情報に含まれる複数の情報毎に比較し、複数の比較結果に基づいて再生時間を制御することができるため、順次表示される再生対象画像の違和感の低減を向上させることができる。
【発明を実施するための最良の形態】
【００３６】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００３７】
［実施の形態１］
まず、構成を説明する。
図１に、本実施の形態１における画像処理装置１の構成を示すブロック図を示す。
【００３８】
図１に示すように、画像処理装置１は、ＣＰＵ（Central Processing Unit）１０、記憶部１１、記録媒体読出部１２、入力部１３、表示部１４、通信部１５を備え、各部はバス１６により互いに電気的に接続されてなる。
【００３９】
ＣＰＵ１０は、記憶部１１に記憶されているシステムプログラムを読み出し、記憶部１１内に形成されたワークエリアに展開し、該システムプログラムに従って各部を制御する。また、ＣＰＵ１０は、記録部１１に記憶されているスライドショー表示プログラムを始めとする各種処理プログラムを読み出してワークエリアに展開し、各種処理を実行する。
【００４０】
ＣＰＵ１０は、記憶部１１との協働によって、本実施の形態１を実現させるために、記録媒体読出部１２から読み出された又は通信部１５を介して受信した撮影画像及び撮影画像に付加された撮影日時情報を記憶部１１に記憶させ、記憶部１１に記憶されている撮影画像を表示部１４に表示させ、入力部１３からの操作信号に基づいて選択された複数の再生対象画像を各再生対象画像の撮影日時情報に基づいて撮影日時順に並べ替える。そしてＣＰＵ１０は、当該撮影日時順に並べ替えられた複数の再生対象画像に対し、撮影日時が隣接する再生対象画像相互間の撮影日時情報に基づく時間間隔（時間経過状況情報）を取得する取得手段であり、また、選択された複数の再生対象画像を表示部１４に順次表示（スライドショー表示）させる場合は、取得された時間間隔に基づいて再生対象画像が次の再生対象画像に切り替わるまでの再生時間を制御する制御手段である。
【００４１】
記憶部１１は、プログラム記憶エリア、データ記憶エリア、及びワークエリアを有している。プログラム記憶エリアには、画像処理装置１に対応するシステムプログラム、本実施の形態１を実現させるためのスライドショー表示プログラム等の各種処理プログラムが予め記憶されており、データ記憶エリアには、各種データ等が予め記憶されており、また、記録媒体読出部１２から読み出された又は通信部１５を介して受信した撮影画像及び撮影画像に付加された撮影日時情報等の各種データを記憶する記憶手段である。
【００４２】
撮影画像は、静止画像及び動画像を含む意である。撮影日時情報は、撮影画像が撮影されたときの撮影時間及び撮影年月日（撮影日付）である。なお、撮影画像が動画像である場合、撮影時間は、動画像が撮影開始時の時間又は撮影終了時の時間のいずれか一方を示す。
【００４３】
この記録部１１は、磁気的、光学的記録媒体、若しくは半導体メモリなどＣＰＵ１０で読み取り可能な電気的に消去及び書き替えが可能な不揮発メモリや、揮発メモリなどの記憶媒体を含んだ構成であり、この記憶媒体はＣＤ−ＲＯＭ（Compact Disc Read Only Memory）、メモリカード等の可搬型の媒体やハードディスク等の固定的な媒体を含む。
【００４４】
記録媒体読出部１２は、例えばフラッシュメモリカード、スマートメディアカード、フロッピー（登録商標）ディスク、ＣＤ（Compact Disk）等の各種記録媒体に対応した記録媒体挿入口を備え、記録媒体挿入口に装着された記録媒体から撮影画像及び撮影画像に付加された撮影日時情報を読み出して取得する。なお、記録媒体としては上述したものに限らず、例えばＳＤ（Secure Digital）カード、ＰＣカード、ＭＯ（Magneto Optic）等、その他の半導体メモリ、磁気的又は光学的記録媒体であってもよい。
【００４５】
入力部１３は、カーソルキー、数字入力キー及び各種機能キー等を備えたキーボード、ポインティングデバイスであるマウス等を備え、キーボードで押下されたキーの押下信号をＣＰＵ１０に出力するとともに、マウスによる操作信号をＣＰＵ１０に出力することで、複数の撮影画像からスライドショー表示される再生対象画像を選択する操作選択手段である。
【００４６】
表示部１４は、例えば、ＬＣＤ（Liquid Crystal Display)などからなる表示画面によって構成され、ＣＰＵ１０から入力される表示信号の指示に従って、表示画面上に、撮影画像及び各種操作画面等の各種情報を表示する表示手段である。
【００４７】
通信部１５は、モデム（ＭＯＤＥＭ：MOdulater/DEModulater）又はターミナルアダプタ（ＴＡ：Terminal Adapter）、ネットワークカード等によって構成され、ＷＡＮ（Wide Area Network）やＬＡＮ（Local Area Network）等の通信ネットワークを介して外部機器との通信を行うための制御を行う。例えば、通信部１５は、通信ネットワークを介して外部機器から撮影画像及び撮影画像に付加された撮影日時情報を受信しＣＰＵ１０に出力することが可能である。
【００４８】
次に、本実施の形態１の動作を説明する。
図２は、本実施の形態１おけるスライドショー表示処理を示す。当該処理及びその処理において実行される各処理は、ＣＰＵ１０と記憶部１１に記憶されたプログラム及びデータとの協働によるソフトウェア処理により実現するものである。
【００４９】
まず、スライドショー表示処理が開始されると、記憶部１１に記憶されている複数の撮影画像が読出され、読み出された複数の撮影画像は、表示部１４の表示画面上に表示される。表示画面上に表示された複数の撮影画像からスライドショー表示の対象となる撮影画像が入力部１３をユーザが操作することにより選択され再生対象画像として設定される（ステップＳ１）。
【００５０】
また、ユーザが入力部１３を操作することにより、各再生対象画像が表示される時間（再生時間）としての基準再生時間Ｔが設定される（ステップＳ２）。
【００５１】
基準再生時間Ｔが設定された後、設定された複数の再生対象画像は、各再生対象画像に付加された撮影日時情報が参照され、撮影日時順に並び替えられる（ステップＳ３）。
【００５２】
複数の再生対象画像が撮影日時順に並び替えられた後（ステップＳ３後）、先頭の再生対象画像が指定され（ステップＳ４）、指定された再生対象画像が表示部１４の表示画面上に表示される（ステップＳ５）。
【００５３】
そして、指定された再生対象画像に付加されている撮影日時情報が読出される（ステップＳ６）と共に、指定された再生対象画像の次順位の再生対象画像に付加されている撮影日時情報が読み出される（ステップＳ７）。
【００５４】
読み出された指定された再生対象画像の撮影日時情報と次順位の再生対象画像の撮影日時情報とが比較され、時間経過状況情報としての相互間の時間間隔Ｔｉ（時間差）が取得される（ステップＳ８）。
【００５５】
取得された時間間隔Ｔｉは、１時間以上であるか否かが判別され（ステップＳ９）、時間間隔Ｔｉが１時間以上であると判別された場合（ステップＳ９；Ｙｅｓ）、時間間隔Ｔｉは２４時間以上であるか否かが判別される（ステップＳ１０）。
【００５６】
時間間隔Ｔｉが２４時間以上であると判別された場合（ステップＳ１０；Ｙｅｓ）、再生時間Ｔｐが基準再生時間Ｔの４倍として設定される（ステップＳ１１）。
【００５７】
時間間隔Ｔｉが２４時間未満であると判別された場合（ステップＳ１０；Ｎｏ）、再生時間Ｔｐが基準再生時間Ｔの２倍として設定される（ステップＳ１２）。
【００５８】
一方、時間間隔Ｔｉが１時間未満であると判別された場合（ステップＳ９；Ｎｏ）、時間間隔Ｔｉが１分未満か否かが判別される（ステップＳ１３）。
【００５９】
時間間隔Ｔｉが１分未満であると判別された場合（ステップＳ１３；Ｙｅｓ）、再生時間Ｔｐが基準再生時間Ｔの０．５倍として設定される（ステップＳ１４）。
【００６０】
時間間隔Ｔｉが１分以上であると判別された場合（ステップＳ１３；Ｎｏ）、再生時間Ｔｐは、基準再生時間Ｔと同時間として設定される（ステップＳ１５）。
【００６１】
ステップＳ９〜１５によって、複数の設定再生時間のうちいずれか１つを選択することが実現される。また、ステップＳ９、ステップＳ１０、ステップＳ１３に示すように時間間隔Ｔｉと比較される１時間、２４時間、１分は、予め設定された比較時間情報の一例である。
【００６２】
このように、予め設定されている比較時間情報との比較結果に基づいて基準再生時間が変更されることにより再生時間を設定することができ、スライドショー表示する際の制御負荷を低減させることができる。また、時間間隔Ｔｉが大きいほど再生時間が長くなるように再生時間が設定されるため、順次表示される再生対象画像間の時間的な違和感を低減することができる。
【００６３】
再生時間Ｔｐが設定された後（ステップＳ１１、Ｓ１２、Ｓ１４又はＳ１５後）、設定された再生時間Ｔｐで指定された再生対象画像が表示されると共に再生時間Ｔｐの計時が開始され、再生時間Ｔｐが経過したか否かが判別される（ステップＳ１６）。
【００６４】
再生時間Ｔｐが経過していないと判別した場合（ステップＳ１６；Ｎｏ）、再生時間Ｔｐが経過するまで待機する（ステップＳ１６に戻る）。
【００６５】
再生時間Ｔｐが経過したと判別された場合（ステップＳ１６；Ｙｅｓ）、設定された全再生対象画像が全て表示されたか否かが判別され（ステップＳ１７）、未表示の再生対象画像がある場合（ステップＳ１７；Ｎｏ）、指定された再生対象画像の次順位の再生対象画像が指定され（ステップＳ１８）、ステップＳ５に戻る。
【００６６】
全再生対象画像が表示されたと判別された場合（ステップＳ１７；Ｙｅｓ）、スライドショー表示が終了される。
【００６７】
図３（ａ）に、撮影日時順に並び替えられた複数の再生対象画像の一覧を示し、図３（ｂ）に、スライドショー表示される再生対象画像毎の再生時間を示す。なお、図３（ａ）に示すように、撮影日時順に並び替えられた複数の再生対象画像は、先頭からスライドショー表示される際の表示番号が付加される（例えば、「０００１」）。
【００６８】
図３（ａ）、（ｂ）に示すように、例えば、表示番号０００１の再生対象画像と表示番号０００２の再生対象画像との間の時間間隔Ｔｉが５分である場合、表示番号０００１の再生時間Ｔｐとして基準再生時間Ｔが選択され設定されるように、時間間隔Ｔｉが１時間未満１分以上である場合、再生時間Ｔｐは基準再生時間Ｔに選択され設定される。
【００６９】
例えば、表示番号０００３の再生対象画像と表示番号０００４の再生対象画像との間の時間間隔Ｔｉが４８時間である場合、表示番号０００３の再生時間Ｔｐとして基準再生時間Ｔの４倍の時間が選択され設定されるように、時間間隔Ｔｉが２４時間以上である場合、再生時間Ｔｐは基準再生時間Ｔの４倍の時間が選択され設定される。
【００７０】
また、例えば、表示番号０００５の再生対象画像と表示番号０００６の再生対象画像との間の時間間隔Ｔｐが２０時間である場合、表示番号０００５の再生時間Ｔｐとして基準再生時間Ｔの２倍の時間が選択され設定されるように、時間間隔Ｔｉが１時間以上２４時間未満である場合、再生時間Ｔｐは基準再生時間Ｔの２倍の時間が選択され設定される。
【００７１】
更に、例えば、表示番号０００７の再生対象画像と表示番号０００８の再生対象画像との間の時間間隔Ｔｐが５秒でる場合、表示番号０００７の再生時間Ｔｐとして基準再生時間Ｔの０．５倍の時間が選択され設定されるように、時間間隔Ｔｉが１分未満である場合、再生時間Ｔｐは基準再生時間Ｔの０．５倍の時間が選択され設定される。
【００７２】
このように、撮影日時順に並べ替えられた複数の再生対象画像が順次表示される場合（スライドショー表示される場合）、撮影日時が隣接する再生対象画像相互間の撮影日時情報に基づく時間間隔Ｔｉに基づいて、表示される再生対象画像の再生時間を制御することができるため、ユーザに対して順次表示される再生対象画像間の時間的な違和感のないスライドショー表示を実現することができる。また、時間間隔Ｔｉの取得が再生対象画像が表示される度に算出されるため、事前に時間間隔Ｔｉの取得という準備動作が必要なくなり、ユーザに対して待ち時間なく直ちにスライドショー表示を行うことができる。
【００７３】
［実施の形態２］
以下、本発明の実施の形態２を詳細に説明する。
まず、構成を説明する。
図４に、本実施の形態２における画像処理装置２の構成を示すブロック図を示す。
【００７４】
図４に示すように、画像処理装置２は、ＣＰＵ（Central Processing Unit）２０、記憶部２１、記録媒体読出部１２、入力部１３、表示部１４、通信部１５を備え、各部はバス１６により互いに電気的に接続されてなる。なお、実施の形態１と同様の部位には同様の符号を付し、説明は省略する。
【００７５】
ＣＰＵ２０は、記憶部２１に記憶されているシステムプログラムを読み出し、記憶部２１内に形成されたワークエリアに展開し、該システムプログラムに従って各部を制御する。また、ＣＰＵ２０は、記録部２１に記憶されているスライドショー表示プログラムを始めとする各種処理プログラムを読み出してワークエリアに展開し、各種処理を実行する。
【００７６】
ＣＰＵ２０は、記憶部２１との協働によって、本実施の形態２を実現させるために、記録媒体読出部１２から読み出された又は通信部１５を介して受信した撮影画像及び撮影画像に付加された撮影日時情報を含む付加情報を記憶部２１に記憶させ、記憶部２１に記憶されている撮影画像を表示部１４に表示させ、入力部１３からの操作信号に基づいて選択された複数の再生対象画像を各再生対象画像の撮影日時情報に基づいて撮影日時順に並べ替える。そしてＣＰＵ２０は、撮影日時順に並べ替えられた複数の再生対象画像に対し、撮影日時が隣接する再生対象画像相互間の付加情報を比較する比較手段であり、また、選択された複数の再生対象画像を表示部１４に順次表示（スライドショー表示）させる場合は、付加情報の比較結果に基づいて表示される再生対象画像が次の再生対象画像に切り替わる再生時間を制御する制御手段である。
【００７７】
記憶部２１は、プログラム記憶エリア、データ記憶エリア、及びワークエリアを有している。プログラム記憶エリアには、画像処理装置２に対応するシステムプログラム、本実施の形態２を実現させるためのスライドショー表示プログラム等の各種処理プログラムが予め記憶されており、データ記憶エリアには、各種データ等が予め記憶されており、また、記録媒体読出部１２から読み出された又は通信部１５を介して受信した撮影画像及び撮影画像に付加された付加情報等の各種データを記憶する記憶手段である。
【００７８】
撮影画像は、静止画像及び動画像を含む意である。付加情報は、撮影画像が撮影された位置を示す撮影位置情報、撮影画像が撮影された際にユーザが撮像装置に対して指定した露出値や望遠値等の撮影制御情報、撮影画像を撮影した撮像装置を判別する機種情報、撮影画像が撮影されたときの撮影時間及び撮影年月日（撮影日付）を示す撮影日時情報を含む。なお、撮影画像が動画像である場合、撮影時間は、動画像が撮影開始時の時間又は撮影終了時の時間のいずれか一方を示す。
【００７９】
撮影位置情報は、撮影画像の撮影時において、撮像装置がＧＰＳ（Global Positioning System）衛星や無線基地局等から受信する電波に基づいて、撮像装置の現在地の緯度及び経度を示す位置信号を算出することにより得られる情報である。
【００８０】
図５に、記憶部２１に記憶される付加情報が付加された撮影画像の画像データ構成の一例を示す。図５に示すように、画像データＤ１は、撮影時等に付加される撮影画像を識別する画像番号ｄ１、機種情報としてのメーカ名ｄ２及び機種名ｄ３、撮影日時情報ｄ４、撮影位置情報ｄ５、撮影制御情報としての露出値ｄ６及び撮影画像の実画像データｄ１０などから構成されている。
【００８１】
また、記憶部２１は、スライドショー表示処理が実行される際、撮影日時順に並べ替えられた複数の再生対象画像に対し、撮影日時が隣接する再生対象画像相互間の付加情報の比較結果に基づいて、再生時間を調整するための区切テーブルＤＴを記憶する。
【００８２】
図６に、記憶部２１に記憶される区切テーブルＤＴの一例を示す。
図６に示すように、区切テーブルＤＴは、撮影日時が隣接する再生対象画像相互間の付加情報の比較結果に基づいて、例えば、「０００２」等の画像番号が記憶されている。
【００８３】
この記録部２１は、磁気的、光学的記録媒体、若しくは半導体メモリなどＣＰＵ１０で読み取り可能な電気的に消去及び書き替えが可能な不揮発メモリや、揮発メモリなどの記憶媒体を含んだ構成であり、この記憶媒体はＣＤ−ＲＯＭ（Compact Disc Read Only Memory）、メモリカード等の可搬型の媒体やハードディスク等の固定的な媒体を含む。
【００８４】
次に、本実施の形態２の動作を説明する。
図７、８は、本実施の形態２おけるスライドショー表示処理を示す。当該処理及びその処理において実行される各処理は、ＣＰＵ２０と記憶部２１に記憶されたプログラム及びデータとの協働によるソフトウェア処理により実現するものである。
【００８５】
まず、スライドショー表示処理が開始されると、記憶部２１に記憶されている複数の撮影画像が読出され、読み出された複数の撮影画像は、表示部１４の表示画面上に表示される。表示画面上に表示された複数の撮影画像からスライドショー表示の対象となる撮影画像が入力部１３をユーザが操作することにより選択され再生対象画像として設定される（ステップＳ２１）。
【００８６】
また、ユーザが入力部１３を操作することにより、各再生対象画像が表示される時間（再生時間）としての基準再生時間Ｔが設定される（ステップＳ２２）。
【００８７】
基準再生時間Ｔが設定された後、設定された複数の再生対象画像は、各再生対象画像に付加された撮影日時情報が参照され、撮影日時順に並び替えられる（ステップＳ２３）。
【００８８】
複数の再生対象画像が撮影日時順に並び替えられた後（ステップＳ２３後）、先頭の再生対象画像が第１画像Ａとして指定され（ステップＳ２４）、指定された第１画像Ａの次順位の再生対象画像が第２画像Ｂとして指定される（ステップＳ２５）。
【００８９】
指定された第１画像Ａ及び第２画像Ｂの付加情報からそれぞれの撮影位置情報が読み出され（ステップＳ２６）、第１画像Ａと第２画像Ｂとの間の距離Ｌが読み出された撮影位置情報に基づいて算出される（ステップＳ２７）。
【００９０】
そして、算出された第１画像Ａと第２画像Ｂとの間の距離Ｌが、予め設定されている基準距離（例えば、１０ｋｍ）以上であるか否かが判別される（ステップＳ２８）。
【００９１】
距離Ｌが基準距離（１０ｋｍ）未満であると判別された場合（ステップ２８；Ｎｏ）、第１画像Ａ及び第２画像Ｂの付加情報からそれぞれの撮影日時情報が読み出され（ステップＳ２９）、第１画像Ａと第２画像Ｂの日付が異なるか否かが判別される（ステップＳ３０）。
【００９２】
第１画像Ａと第２画像Ｂの日付が異なると判別された場合（ステップＳ３０；Ｙｅｓ）又は距離Ｌが基準距離（１０ｋｍ）以上であると判別された場合（ステップＳ２８；Ｙｅｓ）、第１画像Ａの画像番号が区切テーブルに記憶される（ステップＳ３１）。
【００９３】
第１画像Ａの画像番号が区切テーブルに記憶された後（ステップＳ３１後）又は第１画像Ａと第２画像Ｂの日付が同一日付と判別された場合（ステップＳ３０；Ｎｏ）、第２画像Ｂは、撮影日時順に並べ替えられた再生対象画像のうち、最終番目の再生対象画像であるか否かが判別される（ステップＳ３２）。
【００９４】
第２画像Ｂが最終番目の再生対象画像ではないと判別された場合（ステップＳ３２；Ｎｏ）、第２画像Ｂが第１画像Ａとして指定され（ステップＳ３３）、ステップＳ２５に戻る。
【００９５】
第２画像Ｂが最終番目の再生対象画像であると判別された場合（ステップＳ３２；Ｙｅｓ）、先頭の再生対象画像が指定され（ステップＳ３４）、指定された再生対象画像の画像番号は、区切テーブルに記憶されているか否かが判別される（ステップＳ３５）。
【００９６】
指定された再生対象画像の画像番号が区切テーブルに記憶されていると判別された場合（ステップＳ３５；Ｙｅｓ）、指定された再生対象画像の再生時間Ｔｐは、基準再生時間Ｔの２倍として設定される（ステップＳ３６）。
【００９７】
指定された再生対象画像の画像番号が区切テーブルに記憶されていないと判別された場合（ステップＳ３５；Ｎｏ）、指定された対象画像の再生時間Ｔｐは、基準再生時間Ｔとして設定される（ステップＳ３７）。
【００９８】
ステップＳ２８〜３７によって、撮影日時が隣接する再生対象画像相互間の距離Ｌが基準距離以上であると判別された場合、再生時間を次順位の再生対象画像の再生時間よりも長くなるよう設定される。また、ステップＳ２８に示す基準距離、ステップＳ３６、３７に示す再生時間Ｔｐを設定する倍率はこれに限らない。
【００９９】
指定された再生対象画像の再生時間Ｔｐが設定された後、指定された再生対象画像が表示部１４の表示画面上に表示される（ステップＳ３８）。
【０１００】
設定された再生時間Ｔｐで指定された再生対象画像が表示されると共に再生時間Ｔｐの計時が開始され、再生時間Ｔｐが経過したか否かが判別される（ステップＳ３９）。
【０１０１】
再生時間Ｔｐが経過していないと判別した場合（ステップＳ３９；Ｎｏ）、再生時間Ｔｐが経過するまで待機する（ステップＳ３９に戻る）。
【０１０２】
再生時間Ｔｐが経過したと判別された場合（ステップＳ３９；Ｙｅｓ）、設定された全再生対象画像が全て表示されたか否かが判別され（ステップＳ４０）、未表示の再生対象画像がある場合（ステップＳ４０；Ｎｏ）、指定された再生対象画像の次順位の再生対象画像が指定され（ステップＳ４１）、ステップＳ３４に戻る。
【０１０３】
全再生対象画像が表示されたと判別された場合（ステップＳ４０；Ｙｅｓ）、スライドショー表示が終了される。
【０１０４】
図９（ａ）に、撮影日時順に並び替えられた複数の再生対象画像の一覧を示し、図９（ｂ）に、スライドショー表示される再生対象画像毎の再生時間を示す。
【０１０５】
図３（ａ）、（ｂ）に示すように、例えば、画像番号０００１の再生対象画像と画像番号０００２の再生対象画像との間の距離Ｌが１ｋｍであり、相互の撮影日付が同一である場合、画像番号０００１の再生対象画像の画像番号は区切テーブルに記憶されず、表示番号０００１の再生時間Ｔｐとして基準再生時間Ｔが設定されるように、距離Ｌが１０ｋｍ未満であり、かつ同一日付である場合、再生時間Ｔｐは基準再生時間Ｔに選択され設定される。
【０１０６】
一方、画像番号０００２の再生対象画像と画像番号０００３の再生対象画像との間の距離Ｌが１５ｋｍである場合、画像番号０００２の再生対象画像の画像番号が区切テーブルに記憶されるため、画像番号０００２の再生対象画像の再生時間Ｔｐとして基準再生時間Ｔの２倍の時間が設定されるように、距離Ｌが基準距離以上である場合、基準距離Ｌ未満である場合よりも長い再生時間が設定される。
【０１０７】
また、画像番号０００３の再生対象画像と画像番号０００４の再生対象画像との間の距離Ｌが３ｋｍであるが相互の撮影日付が異なる場合、画像番号０００３の再生対象画像の画像番号が区切テーブルに記憶されるため、画像番号０００３の再生対象画像の再生時間Ｔｐとして基準再生時間Ｔの２倍の時間が設定されるように、日付が異なる場合、日付が同一の場合よりも長い再生時間が設定される。
【０１０８】
このように、撮影日時順に並べ替えられた複数の再生対象画像が順次表示される場合（スライドショー表示される場合）、撮影日時が隣接する再生対象画像相互間の撮影位置情報の比較結果に基づく相互間の距離Ｌと撮影日時情報に基づく撮影月日の変化の有無との結果の組み合わせ基づいて、相互間の距離Ｌが予め定められた基準距離よりも大きい場合又は撮影日付が異なる場合は、表示される再生対象画像の再生時間が、次順位の再生対象画像の再生時間よりも長くなるように設定されるため、ユーザに対して順次表示される再生対象画像間の空間的及び時間的な違和感のないスライドショー表示を実現することができる。また、予め全ての再生対象画像に対して撮影日付の変化の有無の判定が行われた後、スライドショー表示されるため、制御負荷を低減させることができる。
【０１０９】
（変形例）
実施の形態２の変形例を説明する。本変形例は、実施の形態２と装置構成が同様であり、撮影日時が隣接する再生対象画像相互間の撮影位置情報の比較に代えて撮影制御情報（例えば、露出値）を比較し、更に撮影日時情報の比較に代えて機種情報を比較して、スライドショー表示が実行される際の再生時間を制御するため、その他同様の部分の説明を省略する。
【０１１０】
図１０に、本変形例におけるスライドショー表示処理を示す。当該処理及びその処理において実行される各処理は、ＣＰＵ２０と記憶部２１に記憶されたプログラム及びデータとの協働によるソフトウェア処理により実現するものである。
【０１１１】
図１０に示すステップＳ５１〜５５は、実施の形態２のステップＳ２１〜２５と同様の動作であるため、説明は省略する。また、図１０に示すステップＳ６２以降の動作は、実施の形態２のステップＳ３４〜４１と同様であるため、図示及び説明は省略する。
【０１１２】
複数の再生対象画像が撮影日時順に並び替えられ、第１画像Ａ及び第２画像Ｂが指定された後、指定された第１画像Ａ及び第２画像Ｂの付加情報からそれぞれの撮影制御情報としての露出値が読み出され（ステップＳ５６）、第１画像Ａの露出値と第２画像Ｂの露出値が比較される（ステップＳ５７）。
【０１１３】
そして、第１画像Ａと第２画像Ｂとの露出値の比較結果が、一方の露出値よりも他方の露出値が予め設定されている倍率（例えば、２倍）以上であるか否かが判別される（ステップＳ５８）。
【０１１４】
露出値の比較結果が２倍未満であると判別された場合（ステップ５８；Ｎｏ）、第１画像Ａ及び第２画像Ｂの付加情報からそれぞれの機種情報（例えば、機種名）が読み出され（ステップＳ５９）、第１画像Ａと第２画像Ｂの機種名が異なるか否かが判別される（ステップＳ６０）。
【０１１５】
第１画像Ａと第２画像Ｂの機種名が異なると判別された場合（ステップＳ６０；Ｙｅｓ）又は露出値の比較結果が２倍以上であると判別された場合（ステップＳ５８；Ｙｅｓ）、第１画像Ａの画像番号が区切テーブルに記憶される（ステップＳ６１）。
【０１１６】
第１画像Ａの画像番号が区切テーブルに記憶された後（ステップＳ６１後）又は第１画像Ａと第２画像Ｂの機種名が異ならない（同一機種名）と判別された場合（ステップＳ６０；Ｎｏ）、第２画像Ｂは、撮影日時順に並べ替えられた再生対象画像のうち、最終番目の再生対象画像であるか否かが判別される（ステップＳ６２）。
【０１１７】
第２画像Ｂが最終番目の再生対象画像ではないと判別された場合（ステップＳ６２；Ｎｏ）、第２画像Ｂが第１画像Ａとして指定され（ステップＳ６３）、ステップＳ５５に戻る。
【０１１８】
第２画像Ｂが最終番目の再生対象画像であると判別された場合（ステップＳ６２；Ｙｅｓ）実施の形態２のステップＳ３４に進む。
【０１１９】
このように、撮影日時順に並べ替えられた複数の再生対象画像が順次表示される場合（スライドショー表示される場合）、撮影日時が隣接する再生対象画像相互間の露出値の比較結果と機種名の比較結果との組み合わせ基づいて、相互間の露出値の差が予め設定された値よりも大きい場合又は機種名が異なる場合は、表示される再生対象画像の再生時間が、次順位の再生対象画像の再生時間よりも長くなるように設定されるため、ユーザに対して順次表示される再生対象画像間の露出値の差異によって異なる空間的な違和感及び撮像装置の性能の差異によって異なる空間的な違和感のないスライドショー表示を実現することができる。
【図面の簡単な説明】
【０１２０】
【図１】実施の形態１における画像処理装置１の構成を示すブロック図である。
【図２】実施の形態１おけるスライドショー表示処理である。
【図３】図３（ａ）は、実施の形態１における撮影日時順に並び替えられた複数の再生対象画像の一覧であり、図３（ｂ）は、図３（ａ）においてスライドショー表示される再生対象画像毎の再生時間である。
【図４】実施の形態２における画像処理装置２の構成を示すブロック図である。
【図５】記憶部２１に記憶される付加情報が付加された撮影画像の画像データ構成の一例である。
【図６】記憶部２１に記憶される区切テーブルＤＴの一例である。
【図７】実施の形態２おけるスライドショー表示処理である。
【図８】実施の形態２おけるスライドショー表示処理である（図７の続き）。
【図９】図９（ａ）は、実施の形態２における撮影日時順に並び替えられた複数の再生対象画像の一覧であり、図９（ｂ）は、図９（ａ）においてスライドショー表示される再生対象画像毎の再生時間である。
【図１０】実施の形態２の変形例におけるスライドショー表示処理である。
【符号の説明】
【０１２１】
１、２  画像処理装置
１０、２０  ＣＰＵ
１１、２１  記憶部
１２  記録媒体読出部
１３  入力部
１４  表示部
１５  通信部
１６  バス
Ｄ１  画像データ
ｄ１  画像番号
ｄ２  メーカ名
ｄ３  機種名
ｄ４  撮影日時情報
ｄ５  撮影位置情報
ｄ６  露出値
ｄ１０  実画像データ
ＤＴ  区切テーブル
ｄ２１、ｄ２２  画像番号
Ｌ  距離
Ｔ  基準再生時間
Ｔｉ  時間間隔
Ｔｐ  再生時間
【図１】
2006261933.tif 000003
【図２】
2006261933.tif 000004
【図３】
2006261933.tif 000005
【図４】
2006261933.tif 000006
【図５】
2006261933.tif 000007
【図６】
2006261933.tif 000008
【図７】
2006261933.tif 000009
【図８】
2006261933.tif 000010
【図９】
2006261933.tif 000011
【図１０】
2006261933.tif 000012